(57)【要約】【課題】帳票もしくはグラフなどの出力形式のカスタマイズを容易にし、他システムのデータを容易に統一的に扱う。【解決手段】計測データファイルＦ２から抽出するデータ項目を指定するルールを含む設定ファイルを備え、その設定ファイルを読み込み、そのルールに基づいて入力データ内部形式データＤ１を作成する手段１と、入力データ内部形式データＤ１をデータ管理手段に格納し、集計単位に基づいて計測データを集計し、その集計結果をデータ管理手段に格納し、検索要求に従ってデータ管理手段から計測データを検索し、その検索結果として出力データ内部形式データＤ３を出力する手段２と、制御データ内部形式データＤ２に基づいた出力データ内部形式データＤ３を取得し、その出力データ内部形式データＤ３に基づいて帳票やグラフＦ３を作成する出力手段３と、を使って、計測データファイルＦ２を２次活用するための情報を出力する。【選択図】図１
2007299119.tif 000002
【特許請求の範囲】
【請求項１】
データ収集システムから出力される計測データファイルを２次活用するためのデータを出力する計測データ活用システムであって、
前記計測データファイルから抽出するデータ項目を指定するルールを含む設定ファイルを備え、その設定ファイルを読み込み、そのルールに基づいて入力データ内部形式データを作成する計測データ入力手段と、
入力データ内部形式データをデータ管理手段に格納し、データ管理手段から計測データを取得し、予め設定された集計単位に基づいて計測データを集計し、その集計された結果をデータ管理手段に格納し、計測データ出力手段からの検索要求に従って、データ管理手段から計測データを検索し、その検索結果として出力データ内部形式データを計測データ出力手段に渡す計測データ管理手段と、
指定されたデータ検索条件を制御データ内部形式データに変換し、該制御データ内部形式データを計測データ管理手段に渡し、計測データ管理手段から出力データ内部形式データを受け取り、その出力データ内部形式データに基づいて帳票やグラフを作成し表示する計測データ出力手段と、
を含むことを特徴とする計測データ活用システム。
【請求項２】
前記計測データ入力手段が、
所定フォルダに該計測データファイルが置かれたこと示すイベントを受信し、該計測データファイルを取得する自動入力手段、
を含むことを特徴とする請求項１に記載の計測データ活用システム。
【請求項３】
前記計測データ入力手段が、
計測データファイルを指定させる手動入力手段、
を含むことを特徴とする請求項１または２に記載の計測データ活用システム。
【請求項４】
前記計測データ管理手段が、
集計するデータ項目，データ粒度，集計開始時間または時間周期を記述された設定ファイルを取得し、時計装置から取得した時間が集計ファイルに記された集計開始の時間または時間周期に達した時に集計を開始する自動集計開始手段、
を含むことを特徴とする請求項１乃至３のいずれかに記載の計測データ活用システム。
【請求項５】
前記計測データ管理手段が、
集計指示取得手段を備え、該集計指示取得手段から取得したデータ集計指示に基づいて集計を開始する手動集計開始手段、
を含むことを特徴とする請求項１乃至４のいずれかに記載の計測データ活用システム。
【請求項６】
前記計測データ出力手段が、
出力データ内部形式データをデータ書き込み位置指定ファイルに基づいてテンプレートファイルに出力する、
ことを特徴とする請求項１乃至５のいずれかに記載の計測データ活用システム。
【請求項７】
コンピュータで、
データ収集システムから出力される計測データファイルを２次活用するためのデータを出力させる計測データ活用プログラムであって、
前記計測データファイルから抽出するデータ項目を指定するルールを含む設定ファイルを備え、その設定ファイルを読み込み、そのルールに基づいて入力データ内部形式データを作成する計測データ入力ステップと、
入力データ内部形式データをデータ管理手段に格納し、データ管理手段から計測データを取得し、予め設定された集計単位に基づいて計測データを集計し、その集計された結果をデータ管理手段に格納し、計測データ出力ステップからの検索要求に従って、データ管理手段から計測データを検索し、その検索結果として出力データ内部形式データを計測データ出力ステップに渡す計測データ管理ステップと、
指定されたデータ検索条件を制御データ内部形式データに変換し、該制御データ内部形式データを計測データ管理ステップに渡し、計測データ管理ステップから出力データ内部形式データを受け取り、その出力データ内部形式データに基づいて帳票やグラフを作成し表示する計測データ出力ステップと、
を含むことを特徴とする計測データ活用プログラム。
【請求項８】
前記計測データ入力ステップが、
所定フォルダに該計測データファイルが置かれたこと示すイベントを受信し、該計測データファイルを取得する自動入力ステップ、
を含むことを特徴とする請求項７に記載の計測データ活用プログラム。
【請求項９】
前記計測データ入力ステップが、
計測データファイルを指定させる手動入力ステップ、
を含むことを特徴とする請求項７または８に記載の計測データ活用プログラム。
【請求項１０】
前記計測データ管理ステップが、
集計するデータ項目，データ粒度，集計開始時間または時間周期を記述された設定ファイルを取得し、時計装置から取得した時間が集計ファイルに記された集計開始の時間または時間周期に達した時に集計を開始する自動集計開始ステップ、
を含むことを特徴とする請求項７乃至９のいずれかに記載の計測データ活用プログラム。
【請求項１１】
前記計測データ管理ステップが、
集計指示取得手段から取得したデータ集計指示に基づいて集計を開始する手動集計開始ステップ、
を含むことを特徴とする請求項７乃至１０のいずれかに記載の計測データ活用システム。
【請求項１２】
前記計測データ出力ステップが、
出力データ内部形式データをデータ書き込み位置指定ファイルに基づいてテンプレートファイルに出力する、
ことを特徴とする請求項７乃至１１のいずれかに記載の計測データ活用プログラム。
【発明の詳細な説明】
【技術分野】
【０００１】
本発明は、計測データを２次活用できるシステムに関するものである。
【背景技術】
【０００２】
現在、常時に計測データ（以後、常時計測データと称する）を収集する監視システムは、収集したデータに基づいて帳票やグラフを作成する機能を提供している。また、その収集データを２次利用できるようにＣＳＶ（Ｃｏｍｍｍａ  Ｓｅｐａｒａｔｅ  Ｖａｌｕｅ）形式のファイル出力機能を提供するシステムも多くなってきている。
【０００３】
一時的に収集するような場合、計測機器（例えば、データロガー等）が一般的に用いられる。この計測機器でも、収集したデータを２次利用するためにＣＳＶ形式のファイル出力機能を提供している。
【０００４】
例えば、計測対象として電力量や蒸気量等のエネルギーデータを考えた場合、経産省の省エネ法や環境省の地球温暖化対策推進法等の国策により、より効果的なエネルギーデータの管理が求められている。エネルギー利用を最適化するようなエネルギーデータ管理を実現するためには、エネルギー管理士が独自の視点でデータを可視化しながらエネルギー利用の施策を検討する必要があるため、データの２次活用は不可欠となっている。
【０００５】
なお、関連する技術として、文書ファイル内のデータをＸＭＬ（ｅＸｔｅｎｓｉｂｌｅ  Ｍａｒｋｕｐ  Ｌａｎｇｕａｇｅ）形式に変換し、同社のＸＭＬデータベースに格納することによって、データの共有を図る文書管理システム（例えば、メディアフュージョン社の「ＤｏｃｕＬａｂｏ」）が知られている（例えば、非特許文献１参照）。
【非特許文献１】株式会社メディアフュージョン、“ＤｏｃｕＬａｂｏ”、［ｏｎｌｉｎｅ］、平成１７年、株式会社メディアフュージョン、［平成１８年２月１３日検索］、インターネット＜ＵＲＬ：ｈｔｔｐ：／／ｗｗｗ．ｍｅｄｉａｆｕｓｉｏｎ．ｃｏ．ｊｐ／ＤｏｃｕＬａｂｏ／ＤｏｃｕＬａｂｏ．ｈｔｍｌ＞
【発明の開示】
【発明が解決しようとする課題】
【０００６】
上述の監視システムに備えられたデータ収集システムは、収集したデータを活用する帳票やグラフはシステム固有である。そのため、ユーザが独自の帳票やグラフを所望する場合、メーカにカスタマイズ費を支払い作成してもらうか、システムからＣＳＶファイル形式でデータを出力し独自でカスタマイズするしか手段が無い。一般にカスタマイズ費は高価であり、また、ＣＳＶファイルはあくまでファイルなので所望のデータの検索は面倒である。
【０００７】
上述の監視システムによって出力される計測データファイルに格納されたデータをユーザが活用する場合、その出力されたデータ中から必要なデータを抽出して活用する場合がある。
【０００８】
特に、計測機器の出力する計測データファイルはデータ量が膨大になりがちであり、必要なデータはごく一部である。この計測データファイルから不要なデータを削減するには、手作業（例えば、計測データファイルを開き、必要なデータの箇所を見つけ、それ以外のデータを削除する作業）によってファイル操作を行うため。大変な手間を必要とする。
【０００９】
上述の監視システムによって出力される計測データファイルの形式は、システム毎にまちまちである。
【００１０】
例えば、あるデータファイルは、ファイル名に計測年月日情報が含まれており、ファイル内の第１データ要素が機器名称、第２データ要素が計測値、第３データ要素が単位である。また、他のデータファイルは、ファイル名が機器名称、ファイル内の第１データ要素が計測年月日、第２要素が計測時分秒、第３要素が単位、第４要素が計測値、である。
【００１１】
従って、監視システムの収集した計測データと計測機器の収集した計測データとを一つの帳票またはグラフで統一的に扱う場合、膨大なデータ加工の手間がかかってしまう。
【００１２】
本発明は、前記課題に基づいてなされたものであって、帳票もしくはグラフなどの出力形式のカスタマイズを容易にし、他システムのデータを容易に統一的に扱う計測データ活用システム及び計測データ活用プログラムを提供することにある。
【課題を解決するための手段】
【００１３】
本発明は、前記課題の解決を図るために、請求項１記載の発明は、データ収集システムから出力される計測データファイルを２次活用するためのデータを出力する計測データ活用システムであって、前記計測データファイルから抽出するデータ項目を指定するルールを含む設定ファイルを備え、その設定ファイルを読み込み、そのルールに基づいて入力データ内部形式データを作成する計測データ入力手段と、入力データ内部形式データをデータ管理手段に格納し、データ管理手段から計測データを取得し、予め設定された集計単位に基づいて計測データを集計し、その集計された結果をデータ管理手段に格納し、計測データ出力手段からの検索要求に従って、データ管理手段から計測データを検索し、その検索結果として出力データ内部形式データを計測データ出力手段に渡す計測データ管理手段と、指定されたデータ検索条件を制御データ内部形式データに変換し、該制御データ内部形式データを計測データ管理手段に渡し、計測データ管理手段から出力データ内部形式データを受け取り、その出力データ内部形式データに基づいて帳票やグラフを作成し表示する計測データ出力手段と、を含むことを特徴とする。
【００１４】
請求項２記載の発明は、請求項１記載の発明において、前記計測データ入力手段が、所定フォルダに該計測データファイルが置かれたこと示すイベントを受信し、該計測データファイルを取得する自動入力手段、を含むことを特徴とする。
【００１５】
請求項３記載の発明は、請求項１または２に記載の発明において、前記計測データ入力手段が、計測データファイルを指定させる手動入力手段、を含むことを特徴とする。
【００１６】
請求項４記載の発明は、請求項１乃至３のいずれかに記載の発明において、前記計測データ管理手段が、集計するデータ項目，データ粒度，集計開始時間または時間周期を記述された設定ファイルを取得し、時計装置から取得した時間が集計ファイルに記された集計開始の時間または時間周期に達した時に集計を開始する自動集計開始手段、を含むことを特徴とする。
【００１７】
請求項５記載の発明は、請求項１乃至４のいずれかに記載の発明において、前記計測データ管理手段が、集計指示取得手段を備え、該集計指示取得手段から取得したデータ集計指示に基づいて集計を開始する手動集計開始手段、を含むことを特徴とする。
【００１８】
請求項６記載の発明は、請求項１乃至５のいずれかに記載の発明において、前記計測データ出力手段が、出力データ内部形式データをデータ書き込み位置指定ファイルに基づいてテンプレートファイルに出力する、ことを特徴とする。
【００１９】
請求項７記載の発明は、コンピュータで、データ収集システムから出力される計測データファイルを２次活用するためのデータを出力させる計測データ活用プログラムであって、前記計測データファイルから抽出するデータ項目を指定するルールを含む設定ファイルを備え、その設定ファイルを読み込み、そのルールに基づいて入力データ内部形式データを作成する計測データ入力ステップと、入力データ内部形式データをデータ管理手段に格納し、データ管理手段から計測データを取得し、予め設定された集計単位に基づいて計測データを集計し、その集計された結果をデータ管理手段に格納し、計測データ出力ステップからの検索要求に従って、データ管理手段から計測データを検索し、その検索結果として出力データ内部形式データを計測データ出力ステップに渡す計測データ管理ステップと、指定されたデータ検索条件を制御データ内部形式データに変換し、該制御データ内部形式データを計測データ管理ステップに渡し、計測データ管理ステップから出力データ内部形式データを受け取り、その出力データ内部形式データに基づいて帳票やグラフを作成し表示する計測データ出力ステップと、を含むことを特徴とする。
【００２０】
請求項８記載の発明は、請求項７に記載の発明において、前記計測データ入力ステップが、所定フォルダに該計測データファイルが置かれたこと示すイベントを受信し、該計測データファイルを取得する自動入力ステップ、を含むことを特徴とする。
【００２１】
請求項９記載の発明は、請求項７または８に記載の発明において、前記計測データ入力ステップが、計測データファイルを指定させる手動入力ステップ、を含むことを特徴とする。
【００２２】
請求項１０記載の発明は、請求項７乃至９のいずれかに記載の発明において、前記計測データ管理ステップが、集計するデータ項目，データ粒度，集計開始時間または時間周期を記述された設定ファイルを取得し、時計装置から取得した時間が集計ファイルに記された集計開始の時間または時間周期に達した時に集計を開始する自動集計開始ステップ、を含むことを特徴とする。
【００２３】
請求項１１記載の発明は、請求項７乃至１０のいずれかに記載の発明において、前記計測データ管理ステップが、集計指示取得手段から取得したデータ集計指示に基づいて集計を開始する手動集計開始ステップ、を含むことを特徴とする。
【００２４】
請求項１２記載の発明は、請求項７乃至１１のいずれかに記載の発明において、前記計測データ出力ステップが、出力データ内部形式データをデータ書き込み位置指定ファイルに基づいてテンプレートファイルに出力する、ことを特徴とする。
【００２５】
前記請求項１，７の発明によれば、計測データに基づいた帳票やグラフを取得できる。
【００２６】
前記請求項２，８の発明によれば、所定フォルダに計測データファイルが置かれたこと示すイベントを取得できる。
【００２７】
前記請求項３，９の発明によれば、ユーザが計測データファイルを指定できる。
【００２８】
前記請求項４，１０の発明によれば、データ項目，データ粒度，集計開始時間または時間周期を取得できる。
【００２９】
前記請求項５，１１の発明によれば、データ集計指示を取得できる。
【００３０】
前記請求項６，１２の発明によれば、データ書き込み位置指定ファイルに基づいたファイルを作成できる。
【発明の効果】
【００３１】
以上示したように請求項１，７の発明によれば、ユーザが計測データに基づいた帳票やグラフを容易に作成できる。
【００３２】
請求項２，８の発明によれば、所定フォルダに該計測データファイルが置かれたこと示すイベントに基づいて自動的に計測データを取得できる。
【００３３】
請求項３，９の発明によれば、ユーザが指定した計測データファイルを取得できる。
【００３４】
請求項４，１０の発明によれば、集計ファイルに記された集計開始の時間または時間周期に基づいて集計を開始できる。
【００３５】
請求項５，１１の発明によれば、ユーザからのデータ集計指示に基づいて集計を開始できる。
【００３６】
請求項６，１２の発明によれば、ユーザが作成したデータ書き込み位置指定ファイルに従って、データ集計結果をテンプレートファイルとして取得できる。
【００３７】
これらを以ってデータ処理システムの分野に貢献できる。
【発明を実施するための最良の形態】
【００３８】
以下、本発明の実施形態における計測データ活用システム及び計測データ活用プログラムを図面等に基づいて詳細に説明する。
【００３９】
本実施形態における計測データ活用システムの構成を図１に基づいて説明する。
【００４０】
計測データ活用システム１００は、計測データ入力部１，計測データ管理部２，計測データ出力部３から構成される。
【００４１】
なお、計測データ入力部１より計測データ管理部２に渡される計測データ、計測データ出力部３と計測データ管理部２で授受される制御もしくは計測データは、システム内部で規定されたデータ形式に従うものとする。
【００４２】
また、前述した計測データ入力部１より計測データ管理部２に渡される計測データのデータ形式を「入力データ内部形式」、計測データ出力部３より計測データ管理部２に渡される制御データのデータ形式を「制御データ内部形式」、計測データ管理部２より計測データ出力部３に渡される計測データのデータ形式を「出力データ内部形式」と呼ぶ。
【００４３】
計測データ入力部１は、既存システム３０に含まれるデータ収集システム（例えば、監視システム２０や計測機器２１）が出力するＣＳＶ形式の計測データファイル（以下、単に計測データファイルという）Ｆ２を入力データ内部形式データＤ１に変換する部である。
【００４４】
単に、ＣＳＶ形式ファイルといっても、そこに格納されるデータの並び方やファイル名の付け方などシステムや計測機器毎に多様な形態が考えられる。このような多様な形態を共通的なデータ内部形式化することにより、データ管理部でのデータ処理を容易にする。
【００４５】
計測データ入力部１は、さらに、計測データファイル入力部１ａ、入力データ内部形式変換部１ｂから構成される。
【００４６】
計測データファイル入力部１ａは、監視システム２０や計測機器２１が出力する計測データファイルを計測データ活用システム１００に入力する部である。入力方式としては、ユーザがファイルを指定する手動入力方式、計測データ活用システム１００が自動的にファイルを入力する自動入力方式を実装している。
【００４７】
更に、前記自動入力方式は、次のように実装されている。
【００４８】
リアルタイム式自動入力方式は、計測データファイルＦ２が出力されると同時に計測データ活用システム１００にそのファイルが入力される方式である。即ち、計測データファイルＦ２の出力先フォルダ等の情報を計測データ活用システム１００の設定ファイルＦ１に記述し、該フォルダに計測データファイルＦ２が置かれるとファイル入力のイベントを発生し入力処理を実行するものである。
【００４９】
バッチ式自動入力方式は、計測データファイルＦ２が一定時間毎に計測データ活用システム１００に入力される方式である。即ち、計測データファイルＦ２の出力先フォルダ及び入力周期（または時間）等の情報を計測データ活用システム１００の設定ファイルＦ１に記述し、該入力周期毎または入力時間に達したら、該出力先フォルダに置かれた未登録のファイルに対し入力処理を実行するものである。
【００５０】
入力データ内部形式変換部１ｂは、計測データファイル入力部１ａで入力された計測データを入力データ内部形式データＤ１に変換する部である。
【００５１】
入力データ内部形式データＤ１において、例えば、「計測機器ＩＤ」、「計測機器名称」、「計測日時」、「計測内容」、「計測単位」、「計測値」を規定する場合、各データを抽出する場所及び方法を記述したルールを設定ファイルＦ１に記述しておき、そのルールに従って入力データ内部形式データＤ１を作成する。
【００５２】
そのルールは、例えば、「計測機器ＩＤ」はＣＳＶデータの３番目の要素から、「計測機器名称」はＣＳＶデータの１番目の要素から、「計測日時」は計測データファイルＦ２のファイル名から抽出する、というルールである。
【００５３】
作成された入力データ内部形式データＤ１はファイル化されるか、または、コンピュータのメモリ上に置かれるか、などの方法によって、計測データ管理部２に渡される。
【００５４】
計測データ管理部２は、内部形式に変換された計測データを再度データ管理手段（例えば、データベース４０）に格納し、効率的かつ有効的なデータ２次活用を実現するために計測データを管理する部である。
【００５５】
さらに、計測データ管理部２は、データ登録部２ａ，データ集計部２ｂ，データ取得部２ｃから構成される。
【００５６】
データ登録部２ａは、入力データ内部形式変換部１ｂで変換された計測データ（即ち、入力内部形式データＤ１）をデータ管理手段に格納する部である。ＳＱＬ（Ｓｔｒｕｃｔｕｒｅｄ  Ｑｕｅｒｙ  Ｌａｎｇｕａｇｅ）等のデータベース操作言語（ＤＭＬ（Ｄａｔａ  Ｍａｎｉｐｕｌａｔｉｏｎ  Ｌａｎｇｕａｇｅ））を生成し計測データを格納する。
【００５７】
データ取得部２ｃは、後述する計測データ出力部３からの検索要求に従いデータベース４０より計測データを検索し、検索結果を出力データ内部形式に従って計測データ出力部３に渡す部である。なお、出力データ内部形式データＤ３は、入力データ内部形式データＤ１と同様に「計測機器ＩＤ」、「計測機器名称」、「計測日時」、「計測値」などのデータ項目を有する。
【００５８】
また、出力データ内部形式データＤ３に含まれるデータ項目及びデータ値は、計測データ出力部３より渡される制御データ内部形式データＤ２で表現された検索条件で指定することができる。この指定された検索条件から、例えば、ＳＱＬ等のデータベース操作言語（ＤＭＬ）を生成し計測データを検索する。作成された出力データ内部形式データＤ３はファイル化されるか、または、コンピュータのメモリ上に置かれるか等の方法によって、計測データ出力部３に渡される。
【００５９】
データ集計部２ｂは、データベース４０から取得した計測データを、例えば、毎時データを日データに、毎日データを月データ等に集計する部である。計測データの中で、その積算値を活用する場合に有効な機能である。その集計した結果は計測データと同様にデータベース４０に格納され、計測データ出力部３を介してユーザが２次活用できる。
【００６０】
なお、集計を開始する方式は、以下の２つの方式である。
【００６１】
手動集計開始方式は、ユーザが集計するタイミングを指定する。例えば、本実施形態における計測データ活用システム１００が提供する「集計」ボタン等のＧＵＩ（（Ｇｒａｐｈｉｃａｌ  Ｕｓｅｒ  Ｉｎｔｅｒｆａｃｅ）；グラフィカルユーザインタフェース）に対するユーザのアクション（即ち、集計指示取得手段からの指示）で集計を開始する方式である。データ項目を集計するデータ粒度（例えば、毎時から日、毎日から月、毎月から年等）に関する指定は、ユーザがＧＵＩによってその都度指定する方式と、予め計測データ活用システム１００の設定ファイルＦ１に記述しておく方式と、を実装している。
【００６２】
自動集計開始方式は、本実施形態における計測データ活用システム１００が自動的に集計を開始する方式である。即ち、集計するデータ項目と粒度及び集計開始の時間または時間周期を予め計測データ活用システム１００の設定ファイルＦ１に記述しておき、集計開始の時間または時間周期に達したら自動的に集計を開始する方式である。なお、時間は、予め備えられた時計装置（例えば、パーソナルコンピュータに備えられた内部時計装置）から取得する。
【００６３】
データ集計部２ｂにおける集計処理の一例を図２に基づいて詳細に説明する。
【００６４】
まず、データベース４０の動作（起動しているか、否か）を確認する（Ｓ１１，Ｓ１２）。
【００６５】
確認した結果、データベース４０が起動済みであれば、ステップＳ１４に進む。データベース４０が起動していなければ、ステップＳ１３に進みデータベース４０を起動する。
【００６６】
次に、集計対象となるデータ項目が定義されたファイル（以下、集計対象データ項目定義ファイルと称する）に関するオープン処理を行う（Ｓ１４）。なお、設定ファイルＦ１を集計対象データ項目定義ファイルと見做しても良い。
【００６７】
次に、そのオープン処理の結果によって、集計対象データ項目定義ファイルが存在しているか否か、を確認する（Ｓ１５）。
【００６８】
次に、オープン処理の結果、集計対象データ項目定義ファイルが存在していなかった場合は、処理を終了する。集計対象データ項目定義ファイルが存在していた場合は、集計対象データ項目定義ファイルを開き、ファイル内に定義されている集計対象データ項目及び集計単位情報を取得する（Ｓ１６）。なお、集計単位情報とは、例えば、集計対象データが秒単位の時系列計測データの場合、分、時、日などの集計を実施する時間単位を示す。
【００６９】
次に、データ集計部２ｂの開始方法を確認する（Ｓ１７）。その開始方法が、自動集計開始方式が選択されていれば、ステップＳ１８へ進む。その開始方法が、手動集計開始方式が選択されていれば、ステップＳ２４へ進む。
【００７０】
以下に、ステップＳ１８以降の処理を説明する。
【００７１】
ステップＳ１８及びＳ１９では、集計済み位置を記録したファイル（以下、集計済データ定義ファイルと称する）に関するオープン処理を行う。
【００７２】
次に、集計済データ定義ファイルに関するオープン処理の結果、集計済データ定義ファイルが存在していれば、ステップＳ２０へ進む。集計済データ定義ファイルが存在していなければ、ステップＳ２１へ進む。
【００７３】
集計済データ定義ファイルから既に集計が実施されているデータについての情報を取得するし、集計開始位置を決定し、その集計開始位置以降を集計対象データと見做し、データベース４０からその集計対象データを取得する（Ｓ２０）。
【００７４】
ただし、集計処理は、以下の処理手順に従い行うものとする。これにより、既に集計したデータとの整合性を取る。
【００７５】
例えば、以下のように集計する（Ｓ２２）。
【００７６】
集計済データ定義ファイルに「２００６／１／１０  １１：１１：１１」と記録されており、かつ、秒単位の時系列計測データを分、時、日などの時間単位で集計する（即ち、分単位集計データ処理、時単位集計データ処理、日単位集計データ処理を行う）場合、データベース４０によって登録されている情報から「２００６／１／１０  １１：１１：００」から「２００６／１／１０  １１：１１：５９」に対応するデータ（即ち、集計済データ定義ファイルに定義されている時間情報の分を軸とするデータ）を取得する。
【００７７】
次に、取得した集計対象データを設備毎に集計し、「２００６／１／１０」の「１１：１１」の分単位の集計データと見做す処理（即ち、分単位集計データ処理）を行う。
【００７８】
次に、登録されているデータの分だけ順次に分単位集計データ処理を繰り返す。例えば、次は、「２００６／１／１０  １１：１２：００」から「２００６／１／１０  １１：１２：５９」の範囲が処理される。
【００７９】
次に、分単位データ集計処理が終了したら、同様の手順で時、日などの単位データ集計処理を行う。例えば、時単位に集計する場合は集計済データ定義ファイルに定義されている時間情報の時部分を、日単位で集計する場合は日部分を軸とする。
【００８０】
なお、集計済データ定義ファイルが存在しない場合は、データベース４０に現在登録されている全データを取得し（Ｓ２１）、その全データ中最も時間的に古いデータを基準として分，時，日単位データ集計処理を実施する（Ｓ２２）。
【００８１】
そして、集計処理の後、集計対象となったデータ中最新の日時の情報を、集計済データ定義ファイルに出力して（Ｓ２３）処理を終了する。
【００８２】
データ集計部２ｂが手動集計開始方式で開始された場合は、手動集計開始方式で指定された時間以降のデータを取得し（Ｓ２４）、その取得したデータを対象として分、時、日単位データ集計処理を実施して処理を終了する（Ｓ２５）。
【００８３】
以上が、データ集計部２ｂにおける集計処理である。
【００８４】
計測データ出力部３は、ユーザが計測データを活用する場合に必要とする帳票やグラフファイル（例えば、図１中の符号Ｆ３で示されるファイル）を作成するための部である。計測データ出力部３は、本体部であるデータ加工部３ａを有する。
【００８５】
データ加工部３ａは、ユーザの指定したデータ検索条件をデータ制御内部形式データＤ２に変換し計測データ管理部２に渡す、また、計測データ管理部２から出力データ内部形式データＤ３を受け取り、帳票やグラフを作成する部である。
【００８６】
なお、データ検索条件の指定や検索結果を帳票化またはグラフ化する方式は、以下の２つの方式である。
【００８７】
ＧＵＩによる指定方式は、データ加工部３ａが提供するＧＵＩ上で検索対象となる計測データ項目や計測日時を指定し、検索結果を同ＧＵＩ上で帳票やグラフを表示する方式である。即ち、データ加工部３ａは、ＧＵＩ上で指定された検索条件を制御データ内部形式データＤ２に変換し、また、出力データ内部形式データＤ３に基づいて帳票やグラフを作成しＧＵＩ上に表示する。
【００８８】
ファイルによる指定方式は、検索対象となる計測データ項目や計測日時をファイルに記述し、検索結果をファイル形式で出力する方式である。例えば、ファイルとして帳票機能やグラフ作成機能を有する表計算ソフトウェアで使用されるファイルを利用する。
【００８９】
ユーザ自身が所望する帳票形式やグラフ形式のテンプレートファイルを予め表計算ソフトウェアで作成しておく。次に、ユーザが、検索条件と検索の結果取得した各データ値を前記テンプレートファイル上で格納するためのセルを指定したファイル（以後、データセル指定ファイルと称する）を用意する。そして、そのデータセル指定ファイルをデータ加工部３ａに入力する。なお、表計算ソフトウェアでは、一般的にセルと呼ばれるマス目にデータを格納するものである。また、前記データセル指定ファイルは、データ書き込み位置指定を指定するファイル（即ち、データ書き込み位置指定ファイル）といえる。
【００９０】
データ加工部３ａは、入力されたデータセル指定ファイルに記述された検索条件に関する項目を制御データ内部形式データＤ２に変換し計測データ管理部２に渡す。また、検索結果となる出力データ内部形式データＤ３に基づいて、先に述べたデータセル指定ファイルに記述された各データ値を格納するセルの項目を参照しながら帳票やグラフのテンプレートファイルにデータ値を格納することによって帳票やグラフを作成する。
【００９１】
そして、ユーザが記述する検索条件やデータ項目とセルの対応をマニュアル等でユーザに公開することによって、表計算ソフトウェアでテンプレートファイルが作成できるユーザは、自分の所望する帳票やグラフを自由に作成できる。例えば、ユーザが記述するデータセル指定ファイルの内容は、検索項目名を「計測機器名称」，「計測日時」，「計測値」で指定し、検索条件を「計測日時が２００６／０４／０１  ０１：００：００より後」に指定し、格納セルを「計測機器名称をＡ１セルに格納」、「計測日時をＢ１セルに格納」、「計測値をＣ１セルに格納」のように指定する。なお、「Ａ１」，「Ｂ１」，「Ｃ１」はセルの番号を示す。
【００９２】
なお、以上の計測データ活用システムに関する方法をコンピュータプログラムとして記述し、コンピュータに実行させることによって、計測データ活用システムを実現できる。
【００９３】
また、以上の計測データ活用システムに関する方法を記述したコンピュータプログラムを、計測データ活用システムに関する方法に必要とされる入出力データを格納したメモリや外部記憶装置等にアクセスするように実装してもよい。
【００９４】
以上のように、本実施形態における計測データ活用システムは、既存システム３０に含まれる監視システム２０や計測機器２１が計測対象機器類（例えば、図１中の計測対象機器２２）から収集した計測データをＣＳＶ形式で外部ファイルに出力する機能を利用し、エンドユーザが計測データを効率よくかつ効果的に２次活用できる機能を提供する。
【００９５】
［実施例１］
実施例１は、監視システムの出力する計測データファイルへ適用例である。
【００９６】
本実施形態における計測データ活用システムの計測データ管理部２と計測データ出力部３を利用することによって、監視システムの提供する固定的な帳票やグラフに縛られることなく、ユーザが所望する帳票やグラフを作成できるため、計測データを効率良く、かつ、有効に活用できる。
【００９７】
従って、帳票やグラフを扱うソフトウェア等の出力形式のカスタマイズを容易にできる。
【００９８】
［実施例２］
実施例２は、計測機器（例えば、データロガー）の出力する計測データファイルへの適用例である。
【００９９】
実施例１で示したユーザの所望する帳票やグラフを作成できる有効性と併せて、本実施形態における計測データ活用システムの計測データ入力部１を利用することによって、計測機器の出力する計測データファイル中で抽出したいデータ範囲を設定ファイルＦ１に記述し、所望のデータのみを後の処理に活用できる。
【０１００】
従って、不要なデータを容易に削減できる。
【０１０１】
［実施例３］
監視システムと計測機器（データロガー）が複合するシステムの出力する計装データファイルへの適用例である。
【０１０２】
実施例１で示したユーザが所望する帳票やグラフを作成できる有効性に加えて、常時計測データを収集する監視システムの計測ファイルと一時的に追加したい計測データを収集する計測機器（データロガー）の計測ファイルに対し、本実施形態における計測データ活用システムの計測データ入力部１を利用することによって、各計測ファイル形式が入力データ内部形式に統一される。そのため、監視システムのデータまたは計測機器（データロガー）などのように収集システム毎のデータ形式に差異が無くなり、後の処理で統一的にデータを利用でき、計測データを効率的かつ有効的に活用できる。
【０１０３】
従って、複数のデータ収集システムのデータを統一的に扱うことができる。
【０１０４】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【０１０５】
例えば、前記のデータ管理手段は、データベースを含む文書管理システムであっても良い。
【図面の簡単な説明】
【０１０６】
【図１】本実施形態における計測データ活用システムの装置構成図。
【図２】本実施形態におけるデータ集計処理フローチャート。
【符号の説明】
【０１０７】
１…計測データ入力部
１ａ…計測データファイル入力部
１ｂ…入力データ内部形式変換部
２…計測データ管理部
２ａ…データ登録部
２ｂ…データ集計部
２ｃ…データ取得部
３…計測データ出力部
３ａ…データ加工部
２０…監視システム
２１…計測機器既存システム
２２…計測対象機器
３０…既存システム
４０…データベース
１００…計測データ活用システム
Ｄ１…入力データ内部形式データ
Ｄ２…制御データ内部形式データ
Ｄ３…出力データ内部形式データ
Ｆ１…設定ファイル
Ｆ２…ＣＳＶ形式計測データファイル
Ｆ３…帳票やグラフなどのファイル
【図１】
2007299119.tif 000003
【図２】
2007299119.tif 000004